(57)【要約】【課題】火災時の炎が敷き材の下側に回り込むことが防止されるので、建物の難燃化を図ることができる敷き材を提供する。【解決手段】敷き材としてのタイルユニットは、複数のタイル張付部１１の上にそれぞれタイルが接着されたものである。タイル張付部１１の側面には発泡性耐火塗料を塗布することにより、発泡性耐火層２５が形成されている。火災の熱により発泡性耐火層２５が発泡して発泡体２５Ａとなり、目地間隙を塞ぐ。【選択図】　図１
2004027717.tif 000002
【特許請求の範囲】
【請求項１】
床面上に敷設される敷き材において、目地部に臨む側面に、発泡性耐火層が設けられていることを特徴とする敷き材。
【請求項２】
請求項１において、前記発泡性耐火層は、発泡性耐火塗料の塗膜よりなることを特徴とする敷き材。
【請求項３】
床面上に敷設される方形の敷き材において、
隣接する２側面の上側からは上側張出部が張り出しており、残りの２側面の下側からは下側張出部が張り出しており、
該上側張出部は、火災の熱により軟化して垂下する熱可塑性材料にて構成されていることを特徴とする敷き材。
【請求項４】
請求項３において、該敷き材同士が目地間隙をあけて並置されたときに、一方の敷き材の下側張出部が他方の敷き材の上側張出部の下側に配置され、且つこの際、該上側張出部の下面と下側張出部の上面との間に排水間隙が形成されるように上側張出部が下側張出部よりも上位に設けられていることを特徴とする敷き材。
【発明の詳細な説明】
【０００１】
【発明の属する技術分野】
本発明は、バルコニーや屋上などの床面上に敷設するのに好適な敷き材に係り、特に建物の不燃化を企図した敷き材に関する。
【０００２】
【従来の技術】
バルコニー等に敷設される敷き材として、複数枚のタイルを合成樹脂製のベース上に接着させてなる床タイルユニットが広く用いられている。この床タイルユニットは、方形の合成樹脂製のベースと、このベースの上面に接着剤で固着されたタイルとを備えている。
【０００３】
この床タイルユニットの従来例を図１３〜１５を参照して説明する。図１３は床タイルユニットの斜視図、図１４は床タイルユニットの平面図、図１５は床タイルユニットの裏面図である。
【０００４】
この床タイルユニット１は、合成樹脂製のベース１０と、該ベース１０上に接着剤で接着されたタイル２０とを有する。
【０００５】
ベース１０は、この従来例では正方形状であり、縦横にタイル張付部１１が複数個（例えば縦、横ともに３個ずつ。合計９個）設けられている。各タイル張付部１１は枡目状に配置され、タイル張付部１１同士はタイ部１２によって連結されている。なお、タイル張付部１１は、直棒状あるいは環状の部分１３同士の間が厚み方向に貫通している。
【０００６】
このベース１０の隣接する２辺からは突片１４がそれぞれ複数個ずつ突設され、残りの２片にあっては、この突片１４が結合しうる形状の受容部１５が設けられている。
【０００７】
床タイルユニットを複数個並列設置した場合、床タイルユニットの突片１４が隣接する床タイルユニットの受容部１５に係着され、これにより床タイルユニット同士が連結され、一連のシート状物となる。
【０００８】
タイル２０は、各タイル張付部１１上に配列され、エポキシ等の接着剤でベース１０に固着されている。タイル２０は枡目状に配列され、タイル２０同士の間に所定の間隙よりなる目地部２１が形成されている。この目地部２１は、タイル張付部１１同士の間の位置に対応して配置されており、従って目地部２１の下方にはタイ部１２が存在する。
【０００９】
この床タイルユニット１は、バルコニー等の床面（施工対象床面）上に複数個配置され、隣接する床タイルユニット１同士が突片１４と受容部１５とによって連結される。
【００１０】
【発明が解決しようとする課題】
上記の床タイルユニット１を複数枚床面上に施工した場合、タイル２０同士の間に形成された目地間隙から雨水等の排水が行われるが、火災時に炎がこの目地間隙を通過する可能性がある。
【００１１】
本発明は、建物の不燃化を企図した敷き材を提供することを目的とする。
【００１２】
【課題を解決するための手段】
本発明（請求項１）の敷き材は、床面上に敷設される敷き材において、目地部に臨む側面に、発泡性耐火層が設けられていることを特徴とするものである。
【００１３】
かかる本発明の敷き材は、火災時の熱により発泡性耐火層が発泡して目地間隙を塞ぐため、目地間隙を炎が通過することが防止される。
【００１４】
この発泡性耐火層は、発泡性耐火塗料を塗布して形成される塗膜よりなることが好ましい。
【００１５】
本発明（請求項３）の敷き材は、床面上に敷設される方形の敷き材において、隣接する２側面の上側からは上側張出部が張り出しており、残りの２側面の下側からは下側張出部が張り出しており、該上側張出部は、火災の熱により軟化して垂下する熱可塑性材料にて構成されていることを特徴とするものである。
【００１６】
この敷き材は、好ましくは、該敷き材同士が目地間隙をあけて並置されたときに、一方の敷き材の下側張出部が他方の敷き材の上側張出部の下側に配置され、且つこの際、該上側張出部の下面と下側張出部の上面との間に排水間隙が形成されるように上側張出部が下側張出部よりも上位に設けられている。
【００１７】
かかる敷き材にあっては、火災の熱により、上側張出部が軟化して垂れ下り、下側張出部に重なって目地間隙を塞ぐようになり、目地間隙を炎が通過することが防止される。
【００１８】
【発明の実施の形態】
図１を参照して請求項１，２の実施の形態に係る敷き材について説明する。
【００１９】
この敷き材は、前記図１３〜１５に示した床タイルユニット１に本発明を適用した一例である。この床タイルユニットにあっては、タイル張付部１１の側面に発泡性耐火層２５が設けられている。この発泡性耐火層２５は、発泡性耐火塗料（発泡性防炎塗料とも称される。）を該側面に塗布することにより形成したものであることが好ましい。この発泡性耐火塗料としては、例えば、ベース樹脂成分及び発泡剤を溶剤に溶解又は分散したものが好適である。
【００２０】
ベース樹脂としては、例えばアクリル樹脂、ウレタン樹脂、エポキン樹脂、アルキッド樹脂などが例示される。
【００２１】
発泡剤としては、リン酸アンモニウム、ポリリン酸アンモニウム、ジシアンジアミド、メラニン、塩素化パラフィン、ホウ酸塩などを用いることができる。
【００２２】
なお、必要に応じ、ペンタエリスリトールなどの多糖類や、膨張性黒鉛など、多孔質炭化層の形成剤が添加されてもよい。また、無機質繊維、無機質粉末などが添加されてもよい。
【００２３】
この発泡性耐火塗料の塗布量は、発泡性耐火層が発泡して目地部を塞ぐことができる程度に選定されればよい。
【００２４】
この発泡性耐火層は、目地を挟んで一方の側面にのみ設けられてもよいが、タイル張付部１１の４側面のすべてに設けられるのが好ましい。
【００２５】
当然ながら、敷き材の側周を構成するタイル張付部側面にも発泡性耐火層を設ける。
【００２６】
この敷き材のその他の構成は前記図１３〜１５の敷き材と同一である。
【００２７】
このように構成された敷き材は、バルコニー等の床面上に複数枚設置される。この際、前記図１３〜１５の場合と同じく、隣接する敷き材１同士が突片１４と受容部１５とによって連結される。
【００２８】
この敷き材が敷設された建物や、隣接建物の火災が発生し、火災の炎が該敷き材に接した場合、図１（ｂ）の通り発泡性耐火層２５が発泡して発泡体２５Ａとなり、目地間隙を塞ぐ。これにより、炎が敷き材の下側に回り込むことが防止される。
【００２９】
次に、図２〜１２を参照して請求項３，４に係る敷き材の実施の形態について説明する。
【００３０】
図２（ａ）は実施の形態に係る敷き材の平面図、図２（ｂ）は敷き材の底面図、図３は敷き材の斜視図、図４は敷き材の張出部付近の断面斜視図、図５は図４のＶ−Ｖ線に沿う断面図、図６は図４のＶＩ−ＶＩ線に沿う断面図、図７は敷き材の下面に凹部を有した辺縁部の縦断面図、図８は下面に凹部を有しない辺縁部の縦断面図、図９は敷き材同士の連繋部による係合状態を示す斜視断面図、図１０は図９の係合状態を示す縦断面図、図１１は敷き材同士の連繋部以外の箇所の係合状態を示す斜視断面図、図１２（ａ）は図１１の係合状態を示す縦断面図、図１２（ｂ）は図１２（ａ）の火災時の状態を示す図である。
【００３１】
この敷き材３０は、方形（この実施の形態では正方形）の盤体部３２と、該盤体部３２の下面から下方に突設されたリブ３４及び脚部３５と、該盤体部３２の隣接する２辺の辺縁から下方に垂設された垂下部３６と、該垂下部３６の下端部分から盤体部３２の側方へ張り出している下側張出部３８と、この下側張出部３８の張出方向の先端部分から上方に突設された突起４０等を有する。下側張出部３８の先端部には、突起４０とは反対方向（下方）に突出する下向き凸部４６が設けられている。
【００３２】
また、この敷き材３０は、この下側張出部３８が設けられた２辺とは異なる残りの盤体部３２の２辺の辺縁部の上部から側方に張り出した上側張出部４４が設けられている。図７，９，１０の通り、この上側張出部４４の下面には、その辺縁部から所定距離離隔した位置に該辺縁部と平行方向に間隔をおいて複数の凹部４２が設けられている。この凹部４２は、床面５０上に敷設された隣接する敷き材３０の突起４０が係合するものである。
【００３３】
上記の垂下部３６は、盤体部３２の隣接する２辺の全領域に沿って設けられている。下側張出部３８もこの２辺の全領域にわたって設けられている。
【００３４】
この下側張出部３８の上面３８ａは、張出方向の先端側に向って下り勾配となる排水勾配を有した斜面となっている。なお、この上面３８ａのうち、前記突起４０に沿う箇所は、図６の通り、床面上に配置した状態において略水平となっている。
【００３５】
突起４０は、下側張出部３８の辺縁方向に沿って所定間隔をおいて複数個設けられている。なお、突起４０同士の間には、下側張出部上面３８ａからの排水効率を高くするために、１０ｍｍ以上例えば１０〜５０ｍｍ程度の間隔があいていることが望ましい。この実施の形態では、突起４０は、平面視形状が下側張出部３８の辺方向に長い長方形状となっている。
【００３６】
凹部４２は、前記の通り盤体部３２の前記残りの２辺に沿って、且つこの２辺の角縁から所定距離だけ離隔して設けられている。この「所定距離」は下側張出部３８の張出長さよりも短いものであり、これにより２枚の敷き材３０を床面５０上に敷設して連繋した際に、各敷き材３０の盤体部３２の側面同士の間に目地間隙Ｓ（図９〜１２）が形成されるようになっている。なお、この目地間隙Ｓは３ｍｍ〜１０ｍｍ程度が好適である。
【００３７】
この凹部４２は、隣接して床面上に配置された敷き材の突起４０が入り込むものであり、突起４０より一回り大きい大きさの凹穴よりなる。当然ながら、凹部４２の配列ピッチは突起４０の配列ピッチに合致する。
【００３８】
下側張出部３８の上面３８ａは、２枚の敷き材３０を床面５０上に敷設して連繋した際に、図１１，１２（ａ）の通り、上側張出部４４の下面との間に排水間隙が生じるように該上側張出部４４の下面よりも下位に配置されている。
【００３９】
この敷き材３０は、適宜のフィラーを含んだ合成樹脂よりなることが好ましい。なお、少なくとも上側張出部４４は熱可塑性合成樹脂よりなる。
【００４０】
このように構成された敷き材３０は、床面５０上に複数枚、相互に連繋させながら敷設される。この際、隣接する一方の敷き材３０の突起４０が他方の敷き材３０の凹部４２に係合される。そして、盤体部３２の側面同士の間に目地間隙Ｓが形成される。この目地間隙Ｓは、下側張出部上面３８ａと上側張出部４４の下面との間の排水間隙に連通している。目地間隙Ｓは、上面から視覚した場合に、その全体が下側張出部３８で遮蔽される。
【００４１】
なお、敷き材３０を床面５０上に敷設した場合、下向き凸部４６が床面５０に当接し、下側張出部３８と床面５０との間には該下向き凸部４６の高さ分だけ間隙が生じる。
【００４２】
この敷き材３０をバルコニー、屋上等の床面５０に敷設した構造においては、目地間隙Ｓを上方から見た場合に床面５０が下側張出部３８によって遮蔽されて見えないので美観が良好である。
【００４３】
また、敷き材３０に掛かった雨水等の水は、目地間隙Ｓから張出部上面３８ａと上側張出部４４の下面との間隙を通って速やかに床面５０上へ排出される。
【００４４】
この敷き材３０を敷設した建物や、その隣接建物に火災が発生し、炎が敷き材３０に掛かった場合、その熱により上側張出部４４が軟化し、図１２（ｂ）のように垂れ下って下側張出部３８に重なり、目地間隙Ｓを塞ぐ。これにより、炎が敷き材３０の下側に回り込むことが防止される。
【００４５】
上記実施の形態は本発明の一例であり、本発明は上記実施の形態に限定されるものではない。例えば、上記実施の形態では敷き材は正方形状であるが長方形状であってもよい。
【００４６】
【発明の効果】
以上の通り、本発明の敷き材によると、火災時の炎が敷き材の下側に回り込むことが防止されるので、建物の難燃化を図ることができる。
【図面の簡単な説明】
【図１】実施の形態に係る敷き材の側面図である。
【図２】別の実施の形態に係る敷き材の平面図と底面図である。
【図３】図２の敷き材の斜視図である。
【図４】図２の敷き材の張出部付近の断面斜視図である。
【図５】図４のＶ−Ｖ線に沿う断面図である。
【図６】図４のＶＩ−ＶＩ線に沿う断面図である。
【図７】敷き材の下面に凹部を有した辺縁部の縦断面図である。
【図８】下面に凹部を有しない辺縁部の縦断面図である。
【図９】敷き材同士の連繋部による係合状態を示す斜視断面図である。
【図１０】図９の係合状態を示す縦断面図である。
【図１１】敷き材同士の連繋部以外の箇所の係合状態を示す斜視断面図である。
【図１２】図１１の係合状態を示す縦断面図である。
【図１３】従来の床タイルユニットの斜視図である。
【図１４】図１３の床タイルユニットの平面図である。
【図１５】図１３の床タイルユニットの裏面図である。
【符号の説明】
１０　ベース
１１　タイル張付部
１２　タイ部
２０　タイル
２１　目地部
２５　発泡性耐火層
２５Ａ　発泡体
３０　敷き材
３２　盤体部
３４　リブ
３５　脚部
３８　下側張出部
３８ａ　張出部上面
４０　突起
４４　上側張出部
５０　床面
【図１】
2004027717.tif 000003
【図２】
2004027717.tif 000004
【図３】
2004027717.tif 000005
【図４】
2004027717.tif 000006
【図５】
2004027717.tif 000007
【図６】
2004027717.tif 000008
【図７】
2004027717.tif 000009
【図８】
2004027717.tif 000010
【図９】
2004027717.tif 000011
【図１０】
2004027717.tif 000012
【図１１】
2004027717.tif 000013
【図１２】
2004027717.tif 000014
【図１３】
2004027717.tif 000015
【図１４】
2004027717.tif 000016
【図１５】
2004027717.tif 000017